(57)【要約】【課題】画像形成装置全体の初期化が終了するまでの時間を短くすることができるようにする。【解決手段】画像を形成するための設定を行うコントローラ部と、画像形成要素を駆動するエンジン部４０とを有する。コントローラ部は、画像形成要素を駆動するための第１の設定情報が記録された第１の記憶装置を備える。エンジン部４０は、画像形成要素を駆動する画像生成部４８、画像形成要素を駆動するための第２の設定情報が記録された第２の記憶装置、及びコントローラ部とエンジン部４０との通信が確立する前に、第２の設定情報に基づいて画像生成部４８の初期設定を行い、通信が確立した後に、第１の設定情報と第２の設定情報とが一致しない場合に、第１の設定情報に基づいて画像生成部４８の初期設定を行い、第１の設定情報を第２の記憶装置に記録する初期化処理部を備える。【選択図】図１
2010194936.tif 000002
【特許請求の範囲】
【請求項１】
（ａ）画像を形成するための設定を行うコントローラ部と、
（ｂ）該コントローラ部の設定に基づいて、画像形成要素を駆動するエンジン部とを有するとともに、
（ｃ）前記コントローラ部は、画像形成要素を駆動するための第１の設定情報が記録された第１の記憶装置を備え、
（ｄ）前記エンジン部は、画像形成要素を駆動する画像生成部、前記画像形成要素を駆動するための第２の設定情報が記録された第２の記憶装置、及び前記コントローラ部とエンジン部との通信が確立する前に、第２の設定情報に基づいて前記画像生成部の初期設定を行い、コントローラ部とエンジン部との通信が確立した後に、第１、第２の設定情報を比較し、第１の設定情報と第２の設定情報とが一致しない場合に、第１の設定情報に基づいて前記画像生成部の初期設定を行い、第１の設定情報を第２の記憶装置に記録する初期化処理部を備えることを特徴とする画像形成装置。
【請求項２】
前記第１の設定情報は前記第１の記憶装置にあらかじめ記録される請求項１に記載の画像形成装置。
【請求項３】
前記第１の設定情報は、操作者が操作部を操作することによって設定される請求項１に記載の画像形成装置。
【請求項４】
前記エンジン部は、第１、第２の設定情報に基づいて、画像を形成するための補正量を算出する補正量算出部を備える請求項１に記載の画像形成装置。
【発明の詳細な説明】
【技術分野】
【０００１】
本発明は、画像形成装置に関するものである。
【背景技術】
【０００２】
従来、プリンタ、複写機、複合機等の画像形成装置、例えば、プリンタは、画像を形成するための設定を行うコントローラ部、及び該コントローラ部の設定に基づいて、ＬＥＤヘッド、モータ、クラッチ、熱源等の画像形成要素を駆動するエンジン部を備え、コントローラ部に大容量のハードディスクが配設され、該ハードディスクにコントローラ部及びエンジン部の設定情報、例えば、ヘッド設定情報が記録されるようになっている。
【０００３】
そして、プリンタの電源が投入されると、コントローラ部の初期化が行われ、続いて、エンジン部は前記ヘッド設定情報をコントローラ部から取得し、ヘッド設定情報に基づいて、初期化を開始する（例えば、特許文献１参照。）。
【先行技術文献】
【特許文献】
【０００４】
【特許文献１】特開平６−１７１７９４号公報
【発明の概要】
【発明が解決しようとする課題】
【０００５】
しかしながら、前記従来のプリンタにおいては、コントローラ部の初期化が終了するまでエンジン部における前記ヘッド設定情報の取得が遅延されるので、エンジン部の初期化の開始が遅くなり、プリンタ全体の初期化が終了するまでの時間が長くなってしまう。例えば、コントローラ部にハードディスクが追加された場合等において、コントローラ部の初期化の処理速度が低くなると、エンジン部の初期化の開始が一層遅くなり、プリンタ全体の初期化が終了するまでの時間が一層長くなってしまう。
【０００６】
本発明は、前記従来のプリンタの問題点を解決して、画像形成装置全体の初期化が終了するまでの時間を短くすることができる画像形成装置を提供することを目的とする。
【課題を解決するための手段】
【０００７】
そのために、本発明の画像形成装置においては、画像を形成するための設定を行うコントローラ部と、該コントローラ部の設定に基づいて、画像形成要素を駆動するエンジン部とを有する。
【０００８】
そして、前記コントローラ部は、画像形成要素を駆動するための第１の設定情報が記録された第１の記憶装置を備える。
【０００９】
また、前記エンジン部は、画像形成要素を駆動する画像生成部、前記画像形成要素を駆動するための第２の設定情報が記録された第２の記憶装置、及び前記コントローラ部とエンジン部との通信が確立する前に、第２の設定情報に基づいて前記画像生成部の初期設定を行い、コントローラ部とエンジン部との通信が確立した後に、第１、第２の設定情報を比較し、第１の設定情報と第２の設定情報とが一致しない場合に、第１の設定情報に基づいて前記画像生成部の初期設定を行い、第１の設定情報を第２の記憶装置に記録する初期化処理部を備える。
【発明の効果】
【００１０】
本発明によれば、画像形成装置においては、画像を形成するための設定を行うコントローラ部と、該コントローラ部の設定に基づいて、画像形成要素を駆動するエンジン部とを有する。
【００１１】
そして、前記コントローラ部は、画像形成要素を駆動するための第１の設定情報が記録された第１の記憶装置を備える。
【００１２】
また、前記エンジン部は、画像形成要素を駆動する画像生成部、前記画像形成要素を駆動するための第２の設定情報が記録された第２の記憶装置、及び前記コントローラ部とエンジン部との通信が確立する前に、第２の設定情報に基づいて前記画像生成部の初期設定を行い、コントローラ部とエンジン部との通信が確立した後に、第１、第２の設定情報を比較し、第１の設定情報と第２の設定情報とが一致しない場合に、第１の設定情報に基づいて前記画像生成部の初期設定を行い、第１の設定情報を第２の記憶装置に記録する初期化処理部を備える。
【００１３】
この場合、コントローラ部とエンジン部との通信が確立する前に、第２の設定情報に基づいて画像生成部の初期設定が行われ、コントローラ部とエンジン部との通信が確立した後に、第１、第２の設定情報が比較され、第１の設定情報と第２の設定情報とが一致しない場合に、第１の設定情報に基づいて画像生成部の初期設定が行われ、第１の設定情報が第２の記憶装置に記録されるので、次回、画像形成装置の電源が投入されたときには、コントローラ部とエンジン部との通信が確立する前に、エンジン部の初期化を開始することができる。
【００１４】
したがって、エンジン部における設定情報の取得が遅延されることがないので、エンジン部の初期化の開始を早くすることができる。その結果、画像形成装置全体の初期化が終了するまでの時間を短くすることができる。
【図面の簡単な説明】
【００１５】
【図１】本発明の第１の実施の形態におけるエンジン部の制御ブロック図である。
【図２】本発明の第１の実施の形態におけるプリンタの概略図である。
【図３】本発明の第１の実施の形態におけるオペレータパネルの詳細図である。
【図４】本発明の第１の実施の形態におけるコントローラ部の制御ブロック図である。
【図５】本発明の第１の実施の形態におけるコントローラ部の動作を示すフローチャートである。
【図６】本発明の第１の実施の形態におけるエンジン部の動作を示すフローチャートである。
【図７】従来のプリンタの制御装置の動作を示すタイムチャートである。
【図８】本発明の第１の実施の形態におけるプリンタの制御装置の動作を示すタイムチャートである。
【図９】本発明の第２の実施の形態におけるコントローラ部の制御ブロック図である。
【図１０】本発明の第２の実施の形態におけるエンジン部の動作を示すフローチャートである。
【発明を実施するための形態】
【００１６】
以下、本発明の実施の形態について図面を参照しながら詳細に説明する。この場合、画像形成装置としてのプリンタについて説明する。
【００１７】
図２は本発明の第１の実施の形態におけるプリンタの概略図である。
【００１８】
図において、１１はプリンタ、１２は媒体としての用紙Ｐを収容する媒体収容部としての給紙カセット、Ｂｋ、Ｙ、Ｍ、Ｃは、ブラック、イエロー、マゼンタ及びシアンの各色の現像剤像としてのトナー像を形成する画像形成部としての画像形成ユニット、ｕ１は転写ユニット、１８は定着装置としての定着器である。前記各画像形成ユニットＢｋ、Ｙ、Ｍ、Ｃは、像担持体としての感光体ドラム１５、帯電装置としての図示されない帯電ローラ、現像剤担持体としての図示されない現像ローラ等を備える。前記感光体ドラム１５と対向させて、露光装置としての、かつ、記録ヘッドとしてのＬＥＤヘッド１６Ｂｋ、１６Ｙ、１６Ｍ、１６Ｃが配設される。
【００１９】
また、前記転写ユニットｕ１は、走行自在に配設された転写ベルト１４、該転写ベルト１４を介して各感光体ドラム１５と対向させて配設された転写部材としての転写ローラ１７Ｂｋ、１７Ｙ、１７Ｍ、１７Ｃを備える。
【００２０】
前記給紙カセット１２に収容された用紙Ｐは、ホッピングローラ８１によってプリンタ１１の本体、すなわち、装置本体内に給紙され、転写ベルト１４によって各画像形成ユニットＢｋ、Ｙ、Ｍ、Ｃと転写ユニットｕ１との間を搬送される。
【００２１】
前記各画像形成ユニットＢｋ、Ｙ、Ｍ、Ｃにおいては、帯電ローラによって感光体ドラム１５の表面が一様に帯電させられ、ＬＥＤヘッド１６Ｂｋ、１６Ｙ、１６Ｍ、１６Ｃによって感光体ドラム１５の表面が露光され、潜像としての図示されない静電潜像が形成される。そして、前記現像ローラによって静電潜像が現像されてトナー像が形成され、転写ローラ１７Ｂｋ、１７Ｙ、１７Ｍ、１７Ｃによって転写ベルト１４により搬送される用紙Ｐに各色のトナー像が順次重ねて転写され、カラーのトナー像が形成される。
【００２２】
続いて、用紙Ｐは定着器１８に送られ、該定着器１８において、カラーのトナー像が、加熱され、加圧されて用紙Ｐに定着させられ、カラーの画像が形成される。このようにして印刷が行われた後の用紙Ｐは装置本体外に排出され、媒体積載部としての用紙スタッカ１９に積載される。
【００２３】
なお、前記転写ベルト１４に対向させて、第１の検出部としての、かつ、色ずれ検出部としての色ずれセンサ２０、及び第２の検出部としての、かつ、濃度検出部としての濃度センサ２１が配設され、前記色ずれセンサ２０は、第１の補正量算出処理としての色ずれ補正量算出処理が行われる際に、転写ベルト１４上に形成された第１のパターンとしての色ずれ補正量検出パターンを検出し、前記濃度センサ２１は、第２の補正量算出処理としての濃度補正量算出処理が行われる際に、転写ベルト１４上に形成された第２のパターンとしての濃度補正量検出パターンを検出する。
【００２４】
また、２２は、表示部として機能してプリンタ１１の状態を表示したり、操作部として機能して、プリンタ１１の設定情報を入力したりするためのオペレータパネル、２３は上位装置としての図示されないホストコンピュータとの間で印刷データ等のデータの送受信を行うＬＡＮとしての外部インタフェースである。なお、前記設定情報は、エンジン部４０において、ＬＥＤヘッド１６Ｂｋ、１６Ｙ、１６Ｍ、１６Ｃ、図示されないモータ、クラッチ、熱源等の画像形成要素を駆動するための情報である。
【００２５】
そして、２４はプリンタ１１の全体の制御を行う制御装置であり、該制御装置２４は、画像を形成するための設定を行うコントローラ部３０、及び該コントローラ部３０の設定に基づいて、ＬＥＤヘッド１６Ｂｋ、１６Ｙ、１６Ｍ、１６Ｃ、モータ、クラッチ、熱源等の画像形成要素を駆動するエンジン部４０を備え、前記コントローラ部３０は第１の記憶装置としての大容量のハードディスク３１を、前記エンジン部４０は第２の記憶装置としての不揮発性メモリから成るフラッシュメモリ４１を備える。
【００２６】
図３は本発明の第１の実施の形態におけるオペレータパネルの詳細図である。
【００２７】
図に示されるように、オペレータパネル２２は、表示要素としてのＬＣＤパネル２２ａ、及び操作要素としてのスイッチ２２ｂ〜２２ｅを備え、操作者がスイッチ２２ｂ、２２ｃを押下すると、ＬＣＤパネル２２ａにプリンタ１１の状態がリストで表示される。また、操作者が、前記スイッチ２２ｂ、２２ｃを押下することによって、プリンタ１１の設定情報を選択し、入力することができ、スイッチ２２ｄを押下することによって、入力された設定情報を設定することができる。
【００２８】
次に、前記コントローラ部３０及びエンジン部４０について説明する。
【００２９】
図１は本発明の第１の実施の形態におけるエンジン部の制御ブロック図、図４は本発明の第１の実施の形態におけるコントローラ部の制御ブロック図である。
【００３０】
図において、３０はコントローラ部、４０はエンジン部であり、コントローラ部３０は、ハードディスク３１、コントローラ制御部３２、内部インタフェース３３等を備え、エンジン部４０は、フラッシュメモリ４１、第１、第２のエンジン制御部４２、４７、内部インタフェース４３、第１、第２の初期化部４４、４５、ヘッド設定情報比較部４６、画像生成部４８、第１の補正量算出部としての色ずれ補正量算出部４９、第２の補正量算出部としての濃度補正量算出部５０等を備え、コントローラ部３０とエンジン部４０との間において通信を行うために、内部インタフェース３３と内部インタフェース４３とがケーブル等によって接続される。また、前記画像生成部４８に第３の記憶装置としてのＤＲＡＭ４８ａが配設される。
【００３１】
なお、前記第１、第２のエンジン制御部４２、４７、第１、第２の初期化部４４、４５、ヘッド設定情報比較部４６、画像生成部４８、色ずれ補正量算出部４９及び濃度補正量算出部５０によって初期化処理部が構成される。
【００３２】
前記ハードディスク３１には、内部インタフェース３３の通信速度を表す内部インタフェース通信速度、ＬＥＤヘッド１６Ｂｋ、１６Ｙ、１６Ｍ、１６Ｃの解像度を表すヘッド解像度、印刷データの転送速度を表す印刷データ転送速度等の設定情報（設定値）が記録される。なお、前記ヘッド解像度及び印刷データ転送速度は、プリンタ１１における固有の情報としてあらかじめ設定され、第１の設定情報として、かつ、第１のヘッド設定情報としてハードディスク３１に記録される。
【００３３】
また、フラッシュメモリ４１には、第１の設定値としての固定設定値、及び第２の設定値としての可変設定値が記録される。前記固定設定値には、内部インタフェース４３の通信速度を表す内部インタフェース通信速度、定着器１８における定着温度の目標値を表す定着目標温度、ＬＥＤヘッド１６Ｂｋによる感光体ドラム１５の露光のタイミングを表すブラック書出位置、ＬＥＤヘッド１６Ｙによる感光体ドラム１５の露光のタイミングを表すイエロー書出位置、ＬＥＤヘッド１６Ｍによる感光体ドラム１５の露光のタイミングを表すマゼンタ書出位置、ＬＥＤヘッド１６Ｃによる感光体ドラム１５の露光のタイミングを表すシアン書出位置、色ずれ補正量検出パターン、濃度補正量検出パターン等の設定情報が含まれ、前記可変設定値には、第１の補正量としての色ずれ補正量、第２の補正量としての濃度補正量、ヘッド解像度、印刷データ転送速度等の設定情報が含まれる。なお、前記可変設定値のヘッド解像度及び印刷データ転送速度は、前回、図示されない電源が投入され、印刷が行われたときに設定されたものであり、第２の設定情報として、かつ、第２のヘッド設定情報としてフラッシュメモリ４１に記録される。また、ヘッド解像度及び印刷データ転送速度の初期値は、プリンタ１１における固有の情報としてあらかじめ設定され、フラッシュメモリ４１に記録される。
【００３４】
次に、前記構成のプリンタ１１の動作について説明する。
【００３５】
図５は本発明の第１の実施の形態におけるコントローラ部の動作を示すフローチャート、図６は本発明の第１の実施の形態におけるエンジン部の動作を示すフローチャート、図７は従来のプリンタの制御装置の動作を示すタイムチャート、図８は本発明の第１の実施の形態におけるプリンタの制御装置の動作を示すタイムチャートである。
【００３６】
まず、操作者によってプリンタ１１の電源が投入されると、コントローラ部３０において、コントローラ制御部３２は、コントローラ部３０の初期化を開始する。そのために、コントローラ制御部３２は、ハードディスク３１にアクセス可能になった時点で、ハードディスク３１から内部インタフェース通信速度を読み出すことによって取得し、内部インタフェース３３の初期設定を行う。
【００３７】
また、電源が投入されると、コントローラ部３０が初期化されるのに伴って、エンジン部４０において、第１のエンジン制御部４２はエンジン部４０の初期化を開始する。そのために、第１のエンジン制御部４２は、フラッシュメモリ４１から内部インタフェース通信速度を取得し、内部インタフェース４３の初期設定を行う。なお、前記第１のエンジン制御部４２は、前記内部インタフェース通信速度を取得する際に、フラッシュメモリ４１から定着目標温度を併せて取得し、定着器１８の初期設定を行い、続いて、定着器１８の制御を開始する。
【００３８】
前記エンジン部４０の初期化が開始されると、第１の初期化部４４は、フラッシュメモリ４１から、前回、印刷が行われたときのヘッド解像度及び印刷データ転送速度を第２のヘッド設定情報として取得し、第２のエンジン制御部４７に対して、第２のヘッド設定情報に基づいて画像生成部４８の初期設定を行うように要求する。前記第２のエンジ制御部４７は、第１の初期化部４４から送られた第２のヘッド設定情報をＤＲＡＭ４８ａに記録することによって画像生成部４８の初期設定を行う。
【００３９】
続いて、第２のエンジン制御部４７は、フラッシュメモリ４１から色ずれ補正量検出パターンを取得し、該色ずれ補正量検出パターンを色ずれ補正量算出部４９に送り、色ずれ補正量算出部４９に対して色ずれ補正量を算出するように指示する。前記色ずれ補正量算出部４９は、色ずれ補正量算出処理を行い、前記色ずれ補正量検出パターンを受けて画像生成部４８に送り、該画像生成部４８は、ＤＲＡＭ４８ａに記録された第２のヘッド設定情報を読み出し、該第２のヘッド設定情報に基づいて画像形成要素、本実施の形態においては、ＬＥＤヘッド１６Ｂｋ、１６Ｙ、１６Ｍ、１６Ｃを駆動し、転写ベルト１４上に色ずれ補正量検出パターンを形成する。そして、前記色ずれセンサ２０が色ずれ補正量検出パターンを検出すると、色ずれ補正量算出部４９は、検出結果を読み込み、検出結果に基づいて色ずれ補正量を算出し、該色ずれ補正量をフラッシュメモリ４１に記録する。
【００４０】
次に、第２のエンジン制御部４７は、フラッシュメモリ４１から濃度補正量検出パターンを取得し、該濃度補正量検出パターンを濃度補正量検出部５０に送り、濃度補正量算出部５０対して濃度補正量を算出するように指示する。前記濃度補正量検出部５０は、濃度補正量算出処理を行い、濃度補正量検出パターンを受けて画像生成部４８に送り、該画像生成部４８は、濃度補正量を算出するとともに、フラッシュメモリ４１に記録する。そのために、前記濃度補正量算出部５０は、ＤＲＡＭ４８ａに記録された第２のヘッド設定情報を読み出し、該第２のヘッド設定情報に基づいてＬＥＤヘッド１６Ｂｋ、１６Ｙ、１６Ｍ、１６Ｃを駆動し、転写ベルト１４上に濃度補正量検出パターンを形成する。そして、前記濃度センサ２１が濃度補正量検出パターンを検出すると、濃度補正量算出部５０は、検出結果を読み込み、検出結果に基づいて濃度補正量を算出し、該濃度補正量をフラッシュメモリ４１に記録する。
【００４１】
続いて、コントローラ部３０において、前記コントローラ制御部３２は、コントローラ部３０とエンジン部４０との通信が確立するのを待機し、通信が確立すると、コントローラ部３０の初期化を終了する。
【００４２】
ところで、前記構成のプリンタ１１において、コントローラ部３０が交換されることがあるが、第１のヘッド設定情報は、コントローラ制御部３２に対応して変更されるので、コントローラ部３０を交換した後に、変更される前の第１のヘッド設定情報に基づいてエンジン部４０の初期化が行われると、初期化を適正に行うことができない。
【００４３】
そこで、エンジン部４０において、ヘッド設定情報比較部４６は、コントローラ部３０とエンジン部４０との通信が確立するのを待機し、通信が確立すると、ハードディスク３１から第１のヘッド設定情報を取得するとともに、フラッシュメモリ４１から前記第２のヘッド設定情報を取得し、第１、第２のヘッド設定情報を比較し、第１、第２のヘッド設定情報が一致するかどうかを判断する。
【００４４】
第１、第２のヘッド設定情報が一致する場合、前記第１のエンジン制御部４２は、エンジン部４０の初期化を終了する。また、第１、第２のヘッド設定情報が一致しない場合、ヘッド設定情報比較部４６は第１のヘッド設定情報が正しいヘッド設定情報であると判断し、第１のヘッド設定情報を第２の初期化部４５に送る。
【００４５】
該第２の初期化部４５は、第２のエンジン制御部４７に対して、第１のヘッド設定情報に基づいて画像生成部４８の初期設定を行うように要求する。前記第２のエンジ制御部４７は、第２の初期化部４５から送られた第１のヘッド設定情報をＤＲＡＭ４８ａに記録することによって画像生成部４８の初期設定を行う。
【００４６】
次に、前述されたように、第２のエンジン制御部４７の指示に従って、前記色ずれ補正量算出部４９は、前記第１のヘッド設定情報に基づいて転写ベルト１４上に色ずれ補正量検出パターンを形成し、該色ずれ補正量検出パターンの検出結果に基づいて色ずれ補正量を算出し、該色ずれ補正量をフラッシュメモリ４１に記録する。
【００４７】
続いて、前述されたように、第２のエンジン制御部４７の指示に従って、前記濃度補正量検出部５０は、前記第１のヘッド設定情報に基づいて転写ベルト１４上に濃度補正量検出パターンを形成し、濃度補正量検出パターンの検出結果に基づいて濃度補正量を算出し、該濃度補正量をフラッシュメモリ４１に記録する。
【００４８】
このように、ハードディスク３１に記録された第１のヘッド設定情報とフラッシュメモリ４１に記録された第２のヘッド設定情報とが比較され、最新のヘッド設定情報がフラッシュメモリ４１に記録されるので、次回、プリンタ１１の電源が投入されたときには、エンジン部４０とコントローラ部３０との通信が確立する前に、エンジン部４０の初期化を開始することができる。
【００４９】
したがって、エンジン部４０における前記第１、第２のヘッド設定情報の取得が遅延されることがないので、エンジン部４０の初期化の開始を早くすることができる。その結果、プリンタ１１全体の初期化が終了するまでの時間を短くすることができる。
【００５０】
例えば、コントローラ部３０にハードディスクが追加された場合等において、コントローラ部３０の初期化の処理速度が低くなっても、エンジン部４０の初期化の開始が遅くならないので、プリンタ１１全体の初期化が終了するまでの時間を短くすることができる。
【００５１】
すなわち、従来のプリンタにおいては、図７に示されるように、コントローラ部の初期化が終了したときにエンジン部の初期化が開始され、画像生成部の初期設定が行われた後に、色ずれ補正量算出処理及び濃度補正量算出処理が行われるのに対して、本実施の形態におけるプリンタ１１においては、図８に示されるように、コントローラ部３０の初期化が開始されると、コントローラ部３０とエンジン部４０との通信が確立する前に、本実施の形態においては、直ちにエンジン部４０の初期化が開始され、画像生成部４８の初期設定が行われた後に、色ずれ補正量算出処理及び濃度補正量算出処理が行われる。
【００５２】
次に、図５のフローチャートについて説明する。
ステップＳ１  コントローラ部３０の初期化を開始する。
ステップＳ２  エンジン部４０との通信を確立し、処理を終了する。
【００５３】
次に、図６のフローチャートについて説明する。
ステップＳ１１  エンジン部４０の初期化を開始する。
ステップＳ１２  フラッシュメモリ４１から取得した第２のヘッド設定情報に基づいて画像生成部４８の初期設定を行うように要求する。
ステップＳ１３  色ずれ補正量算出処理を行う。
ステップＳ１４  濃度補正量算出処理を行う。
ステップＳ１５  コントローラ部３０とエンジン部４０との通信が確立するのを待機し、通信が確立した場合はステップＳ１６に進む。
ステップＳ１６  ハードディスク３１から第１のヘッド設定情報を取得する。
ステップＳ１７  第１、第２のヘッド設定情報が一致するかどうかを判断する。第１、第２のヘッド設定情報が一致する場合は処理を終了し、第１、第２のヘッド設定情報が一致しない場合はステップＳ１８に進む。
ステップＳ１８  第１のヘッド設定情報を第２のヘッド設定情報としてフラッシュメモリ４１に記録する。
ステップＳ１９  第１のヘッド設定情報に基づいて画像生成部４８の初期設定を行うように要求する。
ステップＳ２０  色ずれ補正量算出処理を行う。
ステップＳ２１  濃度補正量算出処理を行い、処理を終了する。
【００５４】
なお、このように、プリンタ１１の初期化が行われると、プリンタ１１はホストコンピュータから送られた印刷データに基づいて印刷を実行するが、印刷を実行する際に、第２のエンジン制御部４７は、フラッシュメモリ４１から色ずれ補正量、ブラック書出位置、イエロー書出位置、マゼンタ書出位置、シアン書出位置等を取得し、ブラック書出位置、イエロー書出位置、マゼンタ書出位置、シアン書出位置等を色ずれ補正量で補正し、各色の書出位置を算出し、画像生成部４８のＤＲＡＭ４８ａに記録する。そして、画像生成部４８は、ＤＲＡＭ４８ａに記録された各色の書出位置に基づいてＬＥＤヘッド１６Ｂｋ、１６Ｙ、１６Ｍ、１６Ｃを駆動するタイミング、すなわち、露光タイミングをずらすことによって色ずれ補正を行う。
【００５５】
また、第２のエンジン制御部４７は、フラッシュメモリ４１から濃度補正量を取得し、画像生成部４８のＤＲＡＭ４８ａに記録する。そして、画像生成部４８は、ＤＲＡＭ４８ａに記録された濃度補正量に基づいてＬＥＤヘッド１６Ｂｋ、１６Ｙ、１６Ｍ、１６Ｃの露光時間を変更し、濃度補正を行う。
【００５６】
次に、本発明の第２の実施の形態について説明する。なお、第１の実施の形態と同じ構造を有するものについては、同じ符号を付与し、同じ構造を有することによる発明の効果については同実施の形態の効果を援用する。
【００５７】
図９は本発明の第２の実施の形態におけるコントローラ部の制御ブロック図、図１０は本発明の第２の実施の形態におけるエンジン部の動作を示すフローチャートである。
【００５８】
この場合、コントローラ部３０に、オペレータパネル制御部３４が配設され、該オペレータパネル制御部３４は表示部としての、かつ、操作部としてのオペレータパネル２２と接続される。
【００５９】
操作者が、オペレータパネル２２を操作して、設定情報、本実施の形態においては、ヘッド解像度及び印刷データ転送速度を設定すると、オペレータパネル制御部３４は、ヘッド解像度及び印刷データ転送速度をオペレータパネル２２から第１のヘッド設定情報として取得し、第１の記憶装置としてのハードディスク３１に記録するとともに、ヘッド設定情報比較部４６に送る。なお、オペレータパネル２２において、操作者はスイッチ２２ｂ、２２ｃ（図３）を押下することによって所定の設定情報を選択し、スイッチ２２ｄを押下することによって設定することができる。
【００６０】
前記ヘッド設定情報比較部４６は、オペレータパネル制御部３４から受けた第１のヘッド設定情報、及び第２の記憶装置としてのフラッシュメモリ４１から第２のヘッド設定情報を取得し、第１、第２のヘッド設定情報を比較し、第１、第２のヘッド設定情報が一致するかどうかを判断する。
【００６１】
第１、第２のヘッド設定情報が一致する場合、前記第１のエンジン制御部４２は、エンジン部４０の初期化を終了する。また、第１、第２のヘッド設定情報が一致しない場合、ヘッド設定情報比較部４６は、第１のヘッド設定情報が正しいヘッド設定情報であると判断し、第１のヘッド設定情報を第２の初期化部４５に送る。
【００６２】
該第２の初期化部４５は、第２のエンジン制御部４７に対して、第１のヘッド設定情報に基づいて画像生成部４８の初期設定を行うように要求する。前記第２のエンジ制御部４７は、第２の初期化部４５から送られた第１のヘッド設定情報を第３の記憶装置としてのＤＲＡＭ４８ａに記録することによって画像生成部４８の初期設定を行う。
【００６３】
次に、前述されたように、第２のエンジン制御部４７の指示に従って、第１の補正量算出部としての色ずれ補正量算出部４９は、前記第１のヘッド設定情報に基づいて転写ベルト１４上に色ずれ補正量検出パターンを形成し、色ずれ補正量検出パターンの検出結果に基づいて第１の補正量としての色ずれ補正量を算出し、該色ずれ補正量をフラッシュメモリ４１に記録する。
【００６４】
続いて、前述されたように、第２のエンジン制御部４７の指示に従って、第２の補正量算出部としての濃度補正量検出部５０は、前記第１のヘッド設定情報に基づいて転写ベルト１４上に濃度補正量検出パターンを形成し、濃度補正量検出パターンの検出結果に基づいて第２の補正量としての濃度補正量を算出し、該濃度補正量をフラッシュメモリ４１に記録する。
【００６５】
このように、コントローラ部３０が交換された場合等において、次回、電源が投入されたときにヘッド設定情報が変化していると予測される場合、操作者が、事前に、オペレータパネル２２を操作して第１のヘッド設定情報を記録することによって、プリンタ１１の電源が投入されて、コントローラ部３０とエンジン部４０との通信が確立する前に、エンジン部４０の初期化を開始することができる。
【００６６】
したがって、エンジン部４０における前記第１、第２のヘッド設定情報の取得が遅延されることがないので、エンジン部４０の初期化の開始を早くすることができる。その結果、プリンタ１１全体の初期化が終了するまでの時間を短くすることができる。
【００６７】
次に、フローチャートについて説明する。
ステップＳ３１  第１のヘッド設定情報をオペレータパネル２２から取得する。
ステップＳ３２  第１のヘッド設定情報をハードディスク３１に記録する。
ステップＳ３３  第１のヘッド設定情報を通知する。
ステップＳ３４  第１、第２のヘッド設定情報が一致するかどうかを判断する。第１、第２のヘッド設定情報が一致する場合は処理を終了し、一致しない場合はステップＳ３５に進む。
ステップＳ３５  第１のヘッド設定情報を第２のヘッド設定情報としてフラッシュメモリ４１に記録する。
ステップＳ３６  第１のヘッド設定情報に基づいて画像生成部４８の初期設定を行うように要求する。
ステップＳ３７  色ずれ補正量算出処理を行う。
ステップＳ３８  濃度補正量算出処理を行い、処理を終了する。
【００６８】
なお、前記各実施の形態においては、画像形成装置としてのプリンタに適用した例について説明したが、本発明を、複写機、ファクシミリ装置、複合機等に適用することができる。
【００６９】
なお、本発明は前記各実施の形態に限定されるものではなく、本発明の趣旨に基づいて種々変形させることが可能であり、それらを本発明の範囲から排除するものではない。
【符号の説明】
【００７０】
１１    プリンタ
１６Ｂｋ、１６Ｙ、１６Ｍ、１６Ｃ    ＬＥＤヘッド
３０    コントローラ部
３１    ハードディスク
４０    エンジン部
４１    フラッシュメモリ
４２、４７    第１、第２のエンジン制御部
４４、４５    第１、第２の初期化部
４６    ヘッド設定情報比較部
４８    画像生成部
４９    色ずれ補正量算出部
５０    濃度補正量算出部
【図１】
2010194936.tif 000003
【図２】
2010194936.tif 000004
【図３】
2010194936.tif 000005
【図４】
2010194936.tif 000006
【図５】
2010194936.tif 000007
【図６】
2010194936.tif 000008
【図７】
2010194936.tif 000009
【図８】
2010194936.tif 000010
【図９】
2010194936.tif 000011
【図１０】
2010194936.tif 000012